(57)【特許請求の範囲】
【請求項１】
プリント配線板上に配線される光ケーブルを収納して前記光ケーブルを保持する、帯形状から生成された収納部と、前記収納部を開く開位置と前記収納部を閉じる閉位置との間で回動する、前記収納部の幅と同一幅で生成された蓋体とを有するクランプ部と、
前記クランプ部の下部に設けられ、前記プリント配線板に設けられた取付穴に挿通されるスナップ部と、
先端部間の幅が前記収納部の幅よりも広い幅となるように前記クランプ部の下部から前記クランプ部の下方に向けて傾斜して延出されるとともに、前記スナップ部が前記取付穴に挿通されたときに、前記クランプ部が位置する側で前記プリント配線板の一面に圧接させて前記クランプ部を前記プリント配線板の前記一面から浮かせた状態に支持する、前記収納部の幅と同一の幅を有する少なくとも一対の弾性支持片と、
前記スナップ部の先端から前記クランプ部の外方に向けて傾斜し、且つ前記スナップ部の支柱の軸方向において、前記少なくとも一対の弾性支持片の先端との間隙が少なくとも前記プリント配線板の厚みよりも狭い間隙となるように延出され、前記スナップ部が前記取付穴に挿通されたときに、前記プリント配線板の前記一面とは反対側となる面に圧接される一対の弾性片と、
前記スナップ部の支柱に設けられ、前記スナップ部の前記取付穴への挿通時に少なくとも一部が挿入されて、前記クランプ部及び前記スナップ部を前記プリント配線板に対して回転させる際の回転軸となる回転挿着部と、
前記蓋体に取り付けられた他のケーブルクランプの前記少なくとも一対の弾性支持片が前記回転挿着部を回転軸として回転したときに、前記少なくとも一対の弾性支持片の先端部の回転軌跡の直径よりも大きい直径に設定された円板形状から生成され、前記クランプ部の前記蓋体の上部に設けられる台座と、
前記円板形状の台座及び前記蓋体を貫通するように設けられ、前記他のケーブルクランプのスナップ部が挿通されたときに前記回転挿着部の少なくとも一部を挿入させることが可能な挿通孔と、
を有することを特徴とするケーブルクランプ。
【請求項２】
プリント配線板上に配線される光ケーブルを収納して前記光ケーブルを保持する、帯形状から生成された収納部と、前記収納部を開く開位置と前記収納部を閉じる閉位置との間で回動する蓋体とを有するクランプ部と、
前記クランプ部の下部に設けられ、前記プリント配線板に設けられた取付穴に挿通されるスナップ部と、
先端部間の幅が前記収納部の幅よりも広い幅となるように前記クランプ部の下部から前記クランプ部の下方に向けて傾斜して延出されるとともに、前記スナップ部が前記取付穴に挿通されたときに、前記クランプ部が位置する側で前記プリント配線板の一面に圧接させて前記クランプ部を前記プリント配線板の前記一面から浮かせた状態に支持する、前記収納部の幅と同一の幅を有する少なくとも一対の弾性支持片と、
前記スナップ部の先端から前記クランプ部の外方に向けて傾斜し、且つ前記スナップ部の支柱の軸方向において、前記少なくとも一対の弾性支持片の先端との間隙が少なくとも前記プリント配線板の厚みよりも狭い間隙となるように延出され、前記スナップ部が前記取付穴に挿通されたときに、前記プリント配線板の前記一面とは反対側となる面に圧接される一対の弾性片と、
前記スナップ部の支柱に設けられ、前記スナップ部の前記取付穴への挿通時に少なくとも一部が挿入されて、前記クランプ部及び前記スナップ部を前記プリント配線板に対して回転させる際の回転軸となる回転挿着部と、
を有し、
前記蓋体は、前記蓋体に取り付けられた他のケーブルクランプの前記少なくとも一対の弾性支持片が前記回転挿着部を回転軸として回転したときに、前記少なくとも一対の弾性支持片の先端部の回転軌跡の直径よりも大きい直径に設定された円板形状から生成され、
前記蓋体は、前記他のケーブルクランプのスナップ部が挿通されたときに前記回転挿着部の少なくとも一部を挿入させることが可能な挿通孔を有することを特徴とするケーブルクランプ。
【請求項３】
請求項１または請求項２に記載のケーブルクランプを、前記プリント配線板の上面に直交する方向に複数積み重ねて取り付けたケーブルクランプの取り付け構造において、
前記複数のケーブルクランプのうち、上方に位置するケーブルクランプのスナップ部を下方に位置するケーブルクランプに設けた前記円板形状の台座及び前記蓋体を貫通する挿通孔、又は前記蓋体を貫通する挿通孔のいずれかに挿通して、前記上方に位置するケーブルクランプに設けた前記一対の弾性支持片と前記一対の弾性片とで前記下方に位置するケーブルクランプに設けた前記円板形状の台座及び前記蓋体、又は前記蓋体を挟持して、前記上方に位置するケーブルクランプを前記下方に位置するケーブルクランプに回転可能に保持することを特徴とするケーブルクランプの取り付け構造。
【請求項４】
請求項３に記載のケーブルクランプの取り付け構造において、
積み重ねて取り付ける複数のケーブルクランプのうち、最も下方に位置するケーブルクランプのスナップ部を前記プリント配線板の取付孔に挿通して、前記最も下方に位置するケーブルクランプに設けた前記一対の弾性支持片と前記一対の弾性片とで前記プリント配線板を挟持して、少なくとも前記最も下方に位置するケーブルクランプを前記プリント配線板に回転可能に保持することを特徴とするケーブルクランプの取り付け構造。
【発明の詳細な説明】
【技術分野】
【０００１】
本発明は、通信装置など電子部品を搭載する電子機器に使用するケーブルクランプに係り、主として通信装置などの電子パッケージの光ケーブル配線（光ファイバ配線）の固定を容易に行うことができるケーブルクランプ及びケーブルクランプの取り付け構造に関する。
【背景技術】
【０００２】
通信装置は、社会的にも情報インフラとして重要な役目をもっており、長期に亘り安定して性能を維持できることが要求され、長期安定稼働が要求されている。
【０００３】
今日、通信装置は画像信号などの大容量データの増大とともに、構成する電子回路は高密度の実装をしている。通信装置の電子パッケージ上には光デバイスを搭載しており、多数の電子部品とともに光ケーブルの収容処理を行うものが多くなってきている。
【０００４】
このため、プリント配線板上に、多くの電子部品とともに光ケーブルの配線をしなければならず、従来、光ケーブルの配線には、図１１の如くプリント配線板１上の電子部品３、５に干渉しないルートに合成樹脂製のケーブルクランプ７を複数配置して、各ケーブルクランプ７に光ケーブル９を保持、固定している。
【０００５】
図１２乃至図１４に示すようにケーブルクランプ７は、フレーム枠体状に形成された正面視矩形状のクランプ部１１と、当該クランプ部１１の下部に一体形成されたスナップ部１３とで構成されている。
【０００６】
クランプ部１１は、平面視矩形状の取付基台１５の両端から上方に延設された一対のケーブル保持片１７、１９と、一方のケーブル保持片１９にヒンジ２１を介して連結された蓋体２３とで構成されている。そして、蓋体２３の自由端側の先端にフック２５が形成され、他方のケーブル保持片１７の先端に当該フック２５が係合する係合部（図示せず）が設けられており、ヒンジ２１を中心とする蓋体２１の上下方向（図１４中、矢印方向）の開閉操作で、クランプ部１１内に光ケーブル９を保持、固定できるようになっている。
【０００７】
従来周知のようにスナップ部１３は、取付基台１５の裏面に突設された１本のスナップ支柱２７と、当該スナップ支柱２７と取付基台１５との連接部から斜め下向きに突設された一対の弾性支持片２９と、スナップ支柱２７の頭部（先端）に形成された一対の弾性片３１とで構成され、弾性片３１は斜め上向きに突出している。尚、弾性片３１と前記弾性支持片２９との機能は周知の通りである。
【０００８】
そして、スナップ支柱２７の基部に、プリント配線板１に形成された平面視円形状のケーブルクランプ取付穴（以下、「取付穴」という）に挿着される円柱状の回転挿着部３３が設けられており、プリント配線板１に実装されたケーブルクランプ７が当該挿着部３３で回転して、どの方向にも容易に向きを変えることができるようになっている。
【０００９】
このように、光ケーブル９のルートを強制するため、図１１に示すように所定のケーブルルートに沿ってプリント配線板１に平面視円形状の取付穴を設け、各取付穴にケーブルクランプ７（スナップ部１３）を挿着して円形に配置し、各ケーブルクランプ７に光ケーブル９を巻回して余長処理を行っている。
【００１０】
しかし、プリント配線板１上にケーブルクランプ７を配置するに当たり、電子部品３、５、特に高発熱の電子部品（以下、「高発熱部品」という）に光ケーブル９が干渉して光ケーブル９を損傷しないようにケーブルクランプ７の位置を決めて配置しなければならないため、ケーブルクランプ７の配置に制限があり、また、高発熱部品の搭載にも制限があった。
【００１１】
同様に、搭載高が高い電子部品がある場合にも、この電子部品と光ケーブル９が干渉しないようにケーブルクランプを配置しなければならず、ケーブルクランプ７や電子部品の搭載に制限があった。
【００１２】
更に、光ケーブル９の配線先が異なる場合、図１１の如く配線ルートを分けるために複数本の光ケーブル９を使用するが、このように複数本の光ケーブル９を使用すると、光ケーブル９同士が同じケーブルクランプ７（クランプ部１１）に収容されることになるため配線作業性が劣り、また、光ケーブル９同士が輻輳して絡み易くなる欠点もあった。特に、直径０．２５Φｍｍの極細ケーブルは、ケーブル同士の輻輳が更に発生し易く、製造組み立ての効率を阻害する一因となっている。
【００１３】
また、特許文献１には、図１５及び図１６に示すように断面Ｈ状に形成した支柱部分３５に、同一のケーブルクランプ３７のスナップ部３９を連結可能として、設計変更や機能追加などでケーブルの本数が増加した場合に、パネル４１等の取付対象物にケーブルクランプ３７の取付穴４３を更に設けることなく、簡単により多くのケーブルをクランプ部４５で保持できるようにしたケーブルクランプ３７が開示されている。
【先行技術文献】
【特許文献】
【００１４】
【特許文献１】特開２００１−７５６４号公報
【発明の概要】
【発明が解決しようとする課題】
【００１５】
しかし、前記ケーブルクランプ３７は、支柱部分３５に他のケーブルクランプ３７のスナップ部３９を連結して、ケーブルクランプ３７をパネル４１に沿って水平方向に展開していくもので、前記ケーブルクランプ７と同様、パネル４１上に搭載高が高い電子部品や高発熱部品がある場合に対応できず、ケーブルクランプ３７やケーブルの配置に制限が生じる。
【００１６】
本発明は斯かる実情に鑑み案出されたもので、上述の如き不具合を解消し、光ケーブル配線の自由度及び配線性、並びに電子部品実装の自由度ひいては設計の自由度を向上させたケーブルクランプ及びケーブルクランプの取り付け構造を提供することを目的とする。
【課題を解決するための手段】
【００１７】
一つの観点によれば、ケーブルクランプは、プリント配線板上に配線される光ケーブルを収納して前記光ケーブルを保持する、帯形状から生成された収納部と、前記収納部を開く開位置と前記収納部を閉じる閉位置との間で回動する、前記収納部の幅と同一幅で生成された蓋体とを有するクランプ部と、前記クランプ部の下部に設けられ、前記プリント配線板に設けられた取付穴に挿通されるスナップ部と、先端部間の幅が前記収納部の幅よりも広い幅となるように前記クランプ部の下部から前記クランプ部の下方に向けて傾斜して延出されるとともに、前記スナップ部が前記取付穴に挿通されたときに、前記クランプ部が位置する側で前記プリント配線板の一面に圧接させて前記クランプ部を前記プリント配線板の前記一面から浮かせた状態に支持する、前記収納部の幅と同一の幅を有する少なくとも一対の弾性支持片と、前記スナップ部の先端から前記クランプ部の外方に向けて傾斜し、且つ前記スナップ部の支柱の軸方向において、前記少なくとも一対の弾性支持片の先端との間隙が少なくとも前記プリント配線板の厚みよりも狭い間隙となるように延出され、前記スナップ部が前記取付穴に挿通されたときに、前記プリント配線板の前記一面とは反対側となる面に圧接される一対の弾性片と、前記スナップ部の支柱に設けられ、前記スナップ部の前記取付穴への挿通時に少なくとも一部が挿入されて、前記クランプ部及び前記スナップ部を前記プリント配線板に対して回転させる際の回転軸となる回転挿着部と、前記蓋体に取り付けられた他のケーブルクランプの前記少なくとも一対の弾性支持片が前記回転挿着部を回転軸として回転したときに、前記少なくとも一対の弾性支持片の先端部の回転軌跡の直径よりも大きい直径に設定された円板形状から生成され、前記クランプ部の前記蓋体の上部に設けられる台座と、前記円板形状の台座及び前記蓋体を貫通するように設けられ、前記他のケーブルクランプのスナップ部が挿通されたときに前記回転挿着部の少なくとも一部を挿入させることが可能な挿通孔と、を有することを特徴とする。
【００１８】
また、一つの観点によれば、ケーブルクランプは、プリント配線板上に配線される光ケーブルを収納して前記光ケーブルを保持する、帯形状から生成された収納部と、前記収納部を開く開位置と前記収納部を閉じる閉位置との間で回動する蓋体とを有するクランプ部と、前記クランプ部の下部に設けられ、前記プリント配線板に設けられた取付穴に挿通されるスナップ部と、先端部間の幅が前記収納部の幅よりも広い幅となるように前記クランプ部の下部から前記クランプ部の下方に向けて傾斜して延出されるとともに、前記スナップ部が前記取付穴に挿通されたときに、前記クランプ部が位置する側で前記プリント配線板の一面に圧接させて前記クランプ部を前記プリント配線板の前記一面から浮かせた状態に支持する、前記収納部の幅と同一の幅を有する少なくとも一対の弾性支持片と、前記スナップ部の先端から前記クランプ部の外方に向けて傾斜し、且つ前記スナップ部の支柱の軸方向において、前記少なくとも一対の弾性支持片の先端との間隙が少なくとも前記プリント配線板の厚みよりも狭い間隙となるように延出され、前記スナップ部が前記取付穴に挿通されたときに、前記プリント配線板の前記一面とは反対側となる面に圧接される一対の弾性片と、前記スナップ部の支柱に設けられ、前記スナップ部の前記取付穴への挿通時に少なくとも一部が挿入されて、前記クランプ部及び前記スナップ部を前記プリント配線板に対して回転させる際の回転軸となる回転挿着部と、を有し、前記蓋体は、前記蓋体に取り付けられた他のケーブルクランプの前記少なくとも一対の弾性支持片が前記回転挿着部を回転軸として回転したときに、前記少なくとも一対の弾性支持片の先端部の回転軌跡の直径よりも大きい直径に設定された円板形状から生成され、前記蓋体は、前記他のケーブルクランプのスナップ部が挿通されたときに前記回転挿着部の少なくとも一部を挿入させることが可能な挿通孔を有することを特徴とする。
【００１９】
また、一つの観点によれば、ケーブルクランプの取り付け構造は、ケーブルクランプを、前記プリント配線板の上面に直交する方向に複数積み重ねて取り付けたケーブルクランプの取り付け構造において、前記複数のケーブルクランプのうち、上方に位置するケーブルクランプのスナップ部を下方に位置するケーブルクランプに設けた前記円板形状の台座及び前記蓋体を貫通する挿通孔、又は前記蓋体を貫通する挿通孔のいずれかに挿通して、前記上方に位置するケーブルクランプに設けた前記一対の弾性支持片と前記一対の弾性片とで前記下方に位置するケーブルクランプに設けた前記円板形状の台座及び前記蓋体、又は前記蓋体を挟持して、前記上方に位置するケーブルクランプを前記下方に位置するケーブルクランプに回転可能に保持することを特徴とする。
【００２０】
この場合、積み重ねて取り付ける複数のケーブルクランプのうち、最も下方に位置するケーブルクランプのスナップ部を前記プリント配線板の取付孔に挿通して、前記最も下方に位置するケーブルクランプに設けた前記一対の弾性支持片と前記一対の弾性片とで前記プリント配線板を挟持して、少なくとも前記最も下方に位置するケーブルクランプを前記プリント配線板に回転可能に保持することが好ましい。
【発明の効果】
【００２１】
各請求項に係る発明によれば、ケーブルルートに例えば高発熱部品の電子部品が実装されていても、上下２段に取り付けたケーブルクランプを用いて、光ケーブルを位置の高い上段のケーブルクランプのクランプ部で保持、固定することで、電子部品と触れさせずに光ケーブルを余長処理することが可能になるため、従来に比し光ケーブル配線の自由度が向上するとともに、ケーブルクランプの下方及び近傍に高発熱部品の実装ができるため、設計の自由度が向上する利点を有する。
【００２２】
また、ケーブルクランプを上下２段に取り付けた場合、上段と下段の夫々のクランプ部で光ケーブルを固定することができるため、配線先毎に分けて独立に光ケーブル配線をすることができ、従来に比し光ケーブル配線の自由度が向上する利点を有する。
【００２３】
更に、ケーブルクランプを上下２段にして使用したときに、上段のケーブルクランプの向きを回転させることができるため、下段側のケーブルルートとは独立したケーブルルートを作ることが可能となって、光ケーブルの配線性が向上する利点を有する。
【００２４】
また、台座を平面視円形状に形成することで、上段のケーブルクランプをいかなる方向にも回転させることができるし、台座を例えば平面視正方形状とした場合に比し設置面積を少なくすることができる利点を有する。
【図面の簡単な説明】
【００２５】
【図１】本発明の第一実施形態に係るケーブルクランプの使用例を示す説明図である。
【図２】ケーブルクランプの斜め上方からの斜視図である。
【図３】ケーブルクランプの斜め下方からの斜視図である。
【図４】ケーブルクランプの正面図である。
【図５】ケーブルクランプの台座に別のケーブルクランプを取り付けた使用例の斜め上方からの斜視図である。
【図６】ケーブルクランプの台座に別のケーブルクランプを取り付けた使用例の正面図である。
【図７】本発明の第二実施形態に係るケーブルクランプの斜め上方からの斜視図である。
【図８】ケーブルクランプの斜め下方からの斜視図である。
【図９】ケーブルクランプの正面図である。
【図１０】本発明の第三実施形態に係るケーブルクランプの斜め下方からの斜視図である。
【図１１】従来のケーブルクランプの使用例を示す説明図である。
【図１２】ケーブルクランプの斜め下方からの斜視図である。
【図１３】ケーブルクランプの斜め上方からの斜視図である。
【図１４】ケーブルクランプの正面図である。
【図１５】従来のケーブルクランプの斜め上方からの斜視図である。
【図１６】ケーブルクランプの使用例を示す説明図である。
【発明を実施するための形態】
【００２６】
以下、本発明の実施形態を図面に基づいて詳細に説明する。
【００２７】
図１は本発明の第一実施形態に係るケーブルクランプの使用例を示し、図中、５１はプリント配線板、５３、５５はプリント配線板５１に実装された電子部品で、図示しないがプリント配線板５１にはその他の多くの電子部品が実装されており、電子部品５３、５５は、図示しないその他の電子部品に比し搭載高が高い高発熱部品である。
【００２８】
そして、プリント配線板５１上に、本実施形態に係る複数のケーブルクランプ５７を介して配線先の異なる３本の光ケーブル５９、６１、６３が円形に余長処理されている。
【００２９】
図２乃至図６はケーブルクランプ５７の詳細を示し、本実施形態のケーブルクランプ５７は、図１２のケーブルクランプ７と同様、フレーム枠体状に形成された正面視矩形状のクランプ部６５と、当該クランプ部６５の下部に一体形成されたスナップ部６７とを備え、クランプ部６５は、平面視矩形状に形成された取付基台６９の両端から上方に延設された一対のケーブル保持片７１、７３と、一方のケーブル保持片７３にヒンジ７５を介して連結された蓋体７７とで構成されている。
【００３０】
そして、蓋体７７の先端にフック７９が形成され、他方のケーブル保持片６９の先端に当該フック７７が係合する係合部（図示せず）が設けられており、ヒンジ７５を介した蓋体７７の上下方向（図４中、矢印方向）の開閉操作で、クランプ部６５内に光ケーブル５９、６１、６３が保持、固定できるようになっている。
【００３１】
また、スナップ部６７も、図１２のスナップ部１３と同様、取付基台６９の裏面に突設された１本のスナップ支柱８１と、当該スナップ支柱８１と取付基台６９との連接部から斜め下向きに突設された一対の弾性支持片８３と、スナップ支柱８１の頭部（先端）に形成された一対の弾性片８５とで構成され、弾性片８３は斜め上向きに突出している。そして、スナップ支柱８１の基部に、プリント配線板５１に形成された平面視円形状の取付穴に挿着される円柱状の回転挿着部８７が設けられており、プリント配線板５１に実装されたケーブルクランプ５７が取付穴に挿着された回転挿着部８７で回転して、ケーブルクランプ５７がどの方向にも容易に向きを変えることができるようになっている。
【００３２】
そして、本実施形態に係るケーブルクランプ５７は、前記蓋体７７の上部中央に、当該蓋体７７の幅寸法よりも大径な平面視円形状の台座８９を一体形成したことを特徴とする。
【００３３】
図２乃至図４に示すように台座８９は蓋体７７の肉厚と略同一の肉厚とされている。そして、台座８９の中央が蓋体７７の中央と一致しており、台座８９の中央から蓋体７７に亘って上下方向に平面視円形状の取付穴９１が設けられている。
【００３４】
取付穴９１は、プリント配線板５１に形成された取付穴と同一径とされている。そして、図５及び図６に示すように取付穴９１に、別のケーブルクランプ５７のスナップ支柱８１を上方から挿入して回転挿着部８７を挿着すると、一対の弾性支持片８３と一対の弾性片８５とで台座８９と蓋体７７が上下から挟持されて、台座８９上に別のケーブルクランプ５７がスタック状に取り付くようになっている。
【００３５】
そして、台座８９は平面視円形状に形成されているため、図５に示すように上下２段にケーブルクランプ５７を積み重ねてプリント配線板５１に実装すると、矢印で示すように上のケーブルクランプ５７が取付穴９１に挿着された回転挿着部８７で回転して、どの方向にも容易に向きを変えることができるようになっている。
【００３６】
本実施形態に係るケーブルクランプ５７はこのように構成されており、次に、ケーブルクランプ５７を用いた光ケーブル５９、６１、６３の配線方法を説明する。
【００３７】
既述したように従来では、例えばプリント配線板上に複数の電子部品を実装し、複数の配線先毎に複数本の光ケーブルを配線する場合、光ケーブルの損傷を防ぐため、高発熱部品に光ケーブルが干渉しないようにケーブルクランプの位置を決め、また、搭載高の高い電子部品を避けてケーブルクランプの位置を決めていた。この結果、ケーブルクランプや電子部品の搭載に制限があった。
【００３８】
しかし、図５及び図６に示すように本実施形態に係るケーブルクランプ５７は、台座８９上に別のケーブルクランプ５７をスタック状に取り付けることができるため、図１に示すように上下２段の上段のケーブルクランプ５７のクランプ部６５に光ケーブル６３を配線することで、搭載高が高く発熱部品である電子部品５３、５５と干渉することなく、これらの上方に光ケーブル配線が可能となる。そして、電子部品５３、５５と干渉しないケーブルルートには、単品のケーブルクランプ５７を使用することで光ケーブル配線が可能となる。
【００３９】
従って、図１に示すように３つの配線先Ａ、Ｂ、Ｃ毎に光ケーブル５９、６１、６３を配線する場合、ケーブルルートのプリント配線板５７上に電子部品５３、５５が実装されているか、ケーブルルートが電子部品５３、５５の近くであるか否かなどに応じて、プリント配線板５７にケーブルクランプ５７を単品、または図５の如くケーブルクランプ５７を上下２段に取り付けて実装していけばよい。
【００４０】
そして、取付穴に単品で、或いは上下２段にして取り付けた各ケーブルクランプ５７を、夫々、回転挿着部８７で回転させてクランプ部６５を所定の向きに調整し乍ら、配線先Ａ、Ｂ、Ｃ毎に各ケーブルクランプ５７の蓋体７７を開放して、クランプ部６５に光ケーブル５９、６１、６３を保持、固定していけばよく、台座８９は平面視円形状に形成されているため、作業者は上下２段に取り付くケーブルクランプ５７の上段のケーブルクランプ５７の向きをどの方向にも自由に変えることができる。そして、図１に示すように配線先Ｃのケーブルルートに電子部品５３、５５がプリント配線板５７に実装されているため、上下２段に取り付けた４個のケーブルクランプ５７の上段のケーブルクランプ５７のクランプ部６５に光ケーブル６３を保持させていけば、電子部品５３、５５に干渉することなくこれらの上方に光ケーブル６３を円形状に余長処理することができる。
【００４１】
また、図１に示すように配線先Ａ、Ｂの光ケーブル配線は、夫々、単品で取り付けた２個のケーブルクランプ５７と、上下２段に取り付けた２個のケーブルクランプ５７の下段のケーブルクランプ５７のクランプ部６５に光ケーブル５９、６１を保持させることで、配線先Ａ、Ｂ毎に独立して光ケーブル５９、６１を円形状に余長処理することができる。
【００４２】
このように本実施形態は、ケーブルクランプ５７のクランプ部６５の蓋体７７の上部に台座８９を設けるとともに、当該台座８９に取付穴９１を設けて別のケーブルクランプ５７を回転可能にスタック搭載できるようにしたことを特徴とする。
【００４３】
従って、本実施形態によれば、ケーブルルートに電子部品５３、５５が実装されていても、上下２段に取り付けたケーブルクランプ５７を用いて、光ケーブル６３を位置の高い上段のケーブルクランプ５７のクランプ部６５で保持、固定することで、電子部品５３、５５と触れさせずに光ケーブル６３を余長処理することが可能になるため、従来に比し光ケーブル配線の自由度が向上するとともに、ケーブルクランプ５７の下方及び近傍に高発熱部品の実装ができるため、設計の自由度が向上する利点を有する。
【００４４】
また、ケーブルクランプ５７を上下２段に取り付けた場合、上段と下段の夫々のクランプ部６５で光ケーブル５９、６１、６３を固定することができるため、配線先毎に分けて独立に光ケーブル配線をすることができ、従来に比し光ケーブル配線の自由度が向上する利点を有する。
【００４５】
更にまた、本実施形態は、ケーブルクランプ５７を上下２段にして使用したときに、上段のケーブルクランプ５７の向きを回転させることができるため、下段側のケーブルルートとは独立したケーブルルートを作ることが可能となって、光ケーブルの配線性が向上する利点を有する。しかも、本実施形態は台座８９を平面視円形状に形成したため、上段のケーブルクランプ５７をいかなる方向にも回転させることができるし、台座を例えば平面視正方形状とした場合に比し設置面積を少なくすることができる利点を有する。
【００４６】
尚、前記実施形態は、図１及び図５に示すようにケーブルクランプ５７を上下２段に取り付けて使用した場合について説明したが、本実施形態のケーブルクランプは、例えば電子パッケージなどの仕様に応じ３段以上に積み重ねて使用することも可能である。
【００４７】
このような場合には、図７乃至図１０に示すようにスナップ支柱８１と取付基台６９との連接部から斜め下向きに４枚の弾性支持片８３を四方に突設してもよく、この第二実施形態に係るケーブルクランプ９３によれば、スナップ部６７-1の補強を図ることができる。
【００４８】
また、図２のケーブルクランプ５７は、蓋体７７の上部中央に平面視円形状の台座８９を一体形成したが、図１０に示すように蓋体７７-1自体を平面視円形状の台座として、その中央に取付穴９１を設けてもよい。
【００４９】
而して、この第三実施形態に係るケーブルクランプ９５によっても、図２のケーブルクランプ５７と同様、所期の目的を達成することが可能であり、また、このケーブルクランプ９５によれば、ケーブルクランプ９５自体の高さを抑えることができる利点を有する。
【００５０】
更に、図１の実施形態ではプリント配線板に実装するケーブルクランプ５７について説明したが、本実施形態はプリント配線板に実装するケーブルクランプに限定されない。例えば、従来、ラックに搭載された通信装置の筐体上に配置されて、外部からの光ケーブルを筐体内に引き込む際に使用される板金にケーブルクランプが使用されているが、当該板金に前記ケーブルクランプ５７、９３、９５を使用できることは勿論である。
【符号の説明】
【００５１】
５１  プリント配線板
５３、５５  電子部品
５７、９３、９５  ケーブルクランプ
５９、６１、６３  光ケーブル
６５、６５-1  クランプ部
６７、６７-1  スナップ部
６９  取付基台
７１、７３  ケーブル保持片
７５  ヒンジ
７７、７７-1  蓋体
７９  フック
８１  スナップ支柱
８３  弾性支持片
８５  弾性片
８７  回転挿着部
８９  台座
９１  取付穴
【図１】
0005579653.tif 000002
【図２】
0005579653.tif 000003
【図３】
0005579653.tif 000004
【図４】
0005579653.tif 000005
【図５】
0005579653.tif 000006
【図６】
0005579653.tif 000007
【図７】
0005579653.tif 000008
【図８】
0005579653.tif 000009
【図９】
0005579653.tif 000010
【図１０】
0005579653.tif 000011
【図１１】
0005579653.tif 000012
【図１２】
0005579653.tif 000013
【図１３】
0005579653.tif 000014
【図１４】
0005579653.tif 000015
【図１５】
0005579653.tif 000016
【図１６】
0005579653.tif 000017